(57)【要約】【課題】HDMIにより接続された装置間でスーパーオーディオCDを再生する際にオーディオ信号が出力されないことによりユーザが故障等と誤判断することがある。また、アナログオーディオ信号での伝送は、デジタルオーディオ信号より音質が劣化する。【解決手段】スーパーオーディオCDを再生する再生部と、オーディオ信号及びビデオ信号をHDMIを介して出力する出力部と、スーパーオーディオCDに記録されているオーディオ信号の種類を示す管理情報を取得する管理情報取得部と、優先して再生するレイヤを設定する優先再生レイヤ設定部と、前記管理情報に基づいて優先再生レイヤ設定部に設定された優先再生レイヤがHDレイヤであり出力部にHDMIが接続されている場合、CDレイヤを再生するよう制御する制御部を備える。【選択図】      図１
2008092243.tif 000002
【特許請求の範囲】
【請求項１】
スーパーオーディオCD(Compact Disc)を再生する再生部と、スーパーオーディオCDから再生されたオーディオ信号及びビデオ信号をHDMI(High-Definition Multimedia Interface)を介して出力する出力部と、前記スーパーオーディオCDに記録されているオーディオ信号の種類を示す管理情報を取得する管理情報取得部と、HD(High Definition)レイヤとCDレイヤのうち優先して再生するレイヤを設定する優先再生レイヤ設定部と、管理情報取得部が取得した前記管理情報に基づいて優先再生レイヤ設定部に設定された優先再生レイヤがHDレイヤであり前記出力部に前記HDMIが接続されている場合、CDレイヤを再生するよう制御する制御部を備えることを特徴とする再生装置。
【発明の詳細な説明】
【技術分野】
【０００１】
本発明は、スーパーオーディオCDを再生することが可能な再生装置に関する。
【背景技術】
【０００２】
スーパーオーディオCDは、高密度で信号を記録したHDレイヤと、既存のCD再生装置で再生が可能なCDレイヤとを備えることができる。HDレイヤには、２チャンネルのオーディオ信号を記録したステレオエリアと、複数チャンネルのオーディオ信号を記録したマルチチャンネルエリアを有することができる。従来のスーパーオーディオCD対応再生装置では、CDレイヤ、HDレイヤのステレオエリア又はマルチチャンネルエリアのうち、再生を行うレイヤ又はエリアをSETUP機能等によりユーザが予め設定することができる。
【０００３】
スーパーオーディオCDには、記録されているオーディオ信号に関するマスターTOC(Table Of Contents)が記録され、ステレオエリア、マルチチャンネルエリア、CDレイヤの有無を示す情報が記録されている。スーパーオーディオCD対応再生装置は、マスターTOC情報に基づいてユーザにより予め設定された再生エリア又はCDレイヤが、再生するスーパーオーディオCDに存在しない場合は、自動的に他のエリアを再生するようになっている。
【０００４】
パーソナルコンピュータ用ディスプレイ等では、ビデオ信号用のインターフェースとしてDVI(Digital Visual Interface)が多く採用されている。AV(Audio Visual)機器用のデジタルインターフェースとしては、DVIに機能を追加し、ビデオ信号に加えマルチチャンネルのオーディオ信号の伝送が可能なHDMIがある。DVI搭載機器からDVI信号をHDMI搭載機器(例えば、ディスプレイ)に伝送する場合、変換ケーブルを利用してDVI搭載機器からHDMI搭載機器にDVI信号を伝送する技術がある。しかし、DVIではオーディオ信号を伝送することができない。
【０００５】
特許文献１には、HDMI搭載機器(例えば、ディスプレイ)が、DVI搭載機器が接続されたと判定した場合、HDMI搭載機器が画面やLEDによりオーディオケーブルの接続を促す技術が開示されている。また、特許文献２には、デジタルオーディオ信号の伝送経路とアナログオーディオ信号の伝送経路の有無、および、それらのオーディオ信号の品質を確認し、適切な伝送経路を選択し、オーディオ信号を出力する装置が開示されている。
【０００６】
【特許文献１】特開２００５−２５０３４２
【特許文献２】特開２００５−１８４８５８
【発明の開示】
【発明が解決しようとする課題】
【０００７】
しかし、スーパーオーディオCD規格は、CDレイヤに記録されたオーディオ信号をHDMIで伝送することは許可しているが、HDレイヤに記録されたオーディオ信号をHDMIにより伝送することを許可してないため、特許文献１及び特許文献２に開示されている技術において、HDMIを搭載した再生装置とHDMIを搭載したディスプレイとをHDMIにより接続しても、HDレイヤに記録されたデジタルオーディオ信号を伝送することができない。このため、ユーザが再生するレイヤとしてHDレイヤを選択しても、HDMIケーブルのみで接続され、アナログオーディオ信号用ケーブルが接続されてない場合、オーディオ信号が出力されないことによりユーザが故障等と誤判断することがある。
【０００８】
また、アナログオーディオ信号用ケーブルが接続されている場合、アナログオーディオ信号での伝送のため、デジタルオーディオ信号より音質が劣化する。
【０００９】
本発明は、HDMIにより接続された装置間でスーパーオーディオCDを再生する際にオーディオ信号が出力されないことによりユーザが故障等と誤判断することを防止すると共に、オーディオ信号の音質劣化を低減することができる再生装置を提供することを目的とする。
【課題を解決するための手段】
【００１０】
本発明は、スーパーオーディオCDを再生する再生部と、スーパーオーディオCDから再生されたオーディオ信号及びビデオ信号をHDMIを介して出力する出力部と、前記スーパーオーディオCDに記録されているオーディオ信号の種類を示す管理情報を取得する管理情報取得部と、HD(High Definition)レイヤとCDレイヤのうち優先して再生するレイヤを設定する優先再生レイヤ設定部と、管理情報取得部が取得した前記管理情報に基づいて優先再生レイヤ設定部に設定された優先再生レイヤがHDレイヤであり前記出力部に前記HDMIが接続されている場合、CDレイヤを再生するよう制御する制御部を備えることを特徴とする。
【発明の効果】
【００１１】
本発明によれば、HDMIにより接続された装置間でスーパーオーディオCDを再生する際にオーディオ信号が出力されないことによりユーザが故障等と誤判断することを低減すると共に、オーディオ信号の音質劣化を低減することができる。
【発明を実施するための最良の形態】
【００１２】
図１は、本発明の一実施形態の再生装置の概略構成を示すブロック図である。
図１において、再生装置は、再生部１、信号処理部２、出力部３、操作部４、表示部５、制御部６を備える。当該再生装置は、スーパーオーディオCDを再生可能な再生装置である。また、当該再生装置は、後述する出力部３にHDMIを搭載し、HDMI用ケーブルを介して、HDMI搭載ディスプレイに接続されている。
【００１３】
ここで、スーパーオーディオCDは、高密度信号記録層(HDレイヤ)のみを有するシングルレイヤディスク、長時間再生が可能な２層のHDレイヤを有するデュアルレイヤディスク、CDレイヤとHDレイヤを有するハイブリッドレイヤディスクに分類される。
【００１４】
また、スーパーオーディオCDは、HDレイヤに２チャンネルのオーディオ信号が記録された第１スーパーオーディオCD、HDレイヤにマルチチャンネルのオーディオ信号が記録された第２スーパーオーディオCD、HDレイヤに２チャンネルのオーディオ信号が記録されたステレオエリアとマルチチャンネルのオーディオ信号が記録されたマルチチャンネルエリアを有する第３スーパーオーディオCDに分類される。
【００１５】
図１において、再生部１は、後述する制御部６の制御により、スーパーオーディオCDの再生を行うと共に、スーバーオーディオCDに記録されているマスターTOCの情報、各エリアの管理情報であるエリアTOC情報を読み取り、制御部６に出力する。
【００１６】
信号処理部２は、後述する制御部６の制御により、再生部１が再生したオーディオ信号をデコード等の処理を行い、後段の出力部３に出力する。
【００１７】
出力部３は、デジタルオーディオ信号をアナログオーディオ信号に変換して出力するDA(Digital Analog)変換部(図示せず)と、デジルオーディオ信号やビデオ信号等を出力するためのHDMI(図示せず)を備える。出力部３は、HDMIに、HDMI用ケーブルを介してHDMI搭載機器が接続されている場合、HDMI搭載機器から接続情報(例えば、EDID(Extended Display Identification Data)信号など)を受信すると、後述する制御部６に対し、当該再生装置にHDMI搭載機器が接続されている旨を通知する。
【００１８】
操作部４は、スーパーオーディオCDの再生開始・再生停止等の指示を行うボタン、スーパーオーディオCDが有するレイヤのうち再生するレイヤを選択する優先再生レイヤ選択ボタン等を備え、ユーザにより操作されたボタンに対応する指示信号を後述する制御部６に出力する。
【００１９】
表示部５は、後述する制御部６の制御により、再生部１が再生したマスターTOC情報やエリアTOC情報に基づいて、再生するオーディオ信号のトラック番号や時間情報等を表示すると共に、ユーザへのケーブル接続を促すメッセージや、再生しているスーバーオーディオCDのレイヤを示す情報を表示する。
【００２０】
制御部６は、再生装置全体を総合的に制御する。制御部６は、操作部４からの指示信号に基づいて、再生部１におけるスーパーオーディオCDの再生の制御を行う。制御部６は、操作部４からの優先して再生するレイヤを特定する指示信号とマスターTOC情報やエリアTOC情報とに基づいて、スーパーオーディオCDの再生するレイヤ又はエリアを選択し、再生する制御を行う。
【００２１】
制御部６は、操作部４からの指示信号により、優先再生レイヤが設定された際、当該設定されたレイヤを優先して再生するよう再生部１を制御する。制御部６は、後に図２のフローチャートと共に説明するように、優先再生レイヤとしてHDレイヤが選択され、出力部３からの通知により本再生装置が他の機器とHDMI接続されていると判断した場合、CDレイヤが存在するか否かを確認し、存在する場合はCDレイヤを再生するよう再生部を制御する。
【００２２】
図２は、本実施形態の再生装置の動作を説明するためのフローチャートである。
ユーザは、操作部４を操作し、スーパーオーディオCDの再生するレイヤ(優先再生レイヤ)を選択する(ステップS1)。
【００２３】
スーパーオーディオCDが再生部１に装着されると、制御部６は、再生部１からマスターTOC情報及びエリアTOC情報を取得する(ステップS2)。なお、ステップS1とステップS2は、順序が逆であっても良い。
【００２４】
制御部６は、選択された優先再生レイヤがCDレイヤか否かを確認する(ステップS3)。
【００２５】
優先再生レイヤがCDレイヤの場合(ステップS3でYES)、制御部６は、マスターTOC情報により、スーパーオーディオCDにCDレイヤが存在するか否か確認する(ステップS4)。スーパーオーディオCDにCDレイヤが存在する場合(ステップS4でYES)、制御部６は、再生レイヤをCDレイヤに設定し(ステップS5)、CDレイヤを再生する(ステップS6)。
【００２６】
優先再生レイヤがCDレイヤでない場合(ステップS3でNO)、すなわちHDレイヤである場合、または、優先再生レイヤがCDレイヤであるがスーパーオーディオCDにCDレイヤが存在しない場合(ステップS4でNO)、制御部６は、HDMI接続されているか否かを確認する(ステップS7)。
【００２７】
HDMI接続されてない場合(ステップS7でNO)、制御部６は、再生レイヤをHDレイヤに設定し(ステップS8)、HDレイヤを再生する(ステップS9)。
【００２８】
HDMI接続されている場合(ステップS7でYES)、制御部６は、スーパーオーディオCDにCDレイヤが存在するか確認する(ステップS10)。スーパーオーディオCDにCDレイヤが存在する場合(ステップS10でYES)、制御部６は、再生エリアをCDレイヤに設定し(ステップS11)、CDレイヤを再生する(ステップS12)。
【００２９】
スーパーオーディオCDにCDレイヤが存在しない場合(ステップS10でNO)、制御部６は、「アナログオーディオ信号用ケーブルを接続してください」というメッセージを表示部５に表示させ(ステップS13)、ユーザの操作に基づく操作部４からの指示信号、或いは、出力部３の出力端子を監視し、アナログオーディオ信号用ケーブルが接続されたか否かを確認する(ステップS14)。
【００３０】
アナログオーディオ信号用ケーブルが接続されたと判断した場合(ステップS14でYES)、制御部６は、再生レイヤをHDレイヤに設定し(ステップS8)、HDレイヤを再生する(ステップS9)。
【００３１】
以上のように、本実施形態の再生装置では、優先再生レイヤとしてHDレイヤが選択され、HDMI接続され、スーパーオーディオCDにCレイヤを有するか否かを確認し、CDレイヤが存在する場合、CDレイヤのオーディオ信号を再生するため、当該再生装置が接続されているHDMI搭載機器(例えば、ディスプレイ)からオーディオ信号が出力されないことによりユーザが故障等と誤判断することを防止することができる。また、HDMIによりデジタルオーディオ信号を伝送することができるため、オーディオ信号の音質劣化を低減することができる。
【図面の簡単な説明】
【００３２】
【図１】本発明の一実施形態の再生装置の概略構成を示すブロック図。
【図２】本実施形態の再生装置の動作を説明するためのフローチャート。
【符号の説明】
【００３３】
１・・・再生部、２・・・信号処理部、３・・・出力部、４・・・操作部、５・・・表示部、６・・・制御部。
【図１】
2008092243.tif 000003
【図２】
2008092243.tif 000004